(57)【要約】      （修正有）【課題】組み立て工数、部品点数およびコストの削減、小型化、品質のバラツキ抑制および品質向上を図る。【解決手段】電動送風機ユニット１３０は、電動送風機１３１と、ファンカバー１３２と、ファンカバーと電動送風機との間に設けられたパッキン１３３、１３４とを有し、電動送風機は、径方向に突出した外周突出部１３１ａと、外周突出部の上部に配置された吸気口１３１ｂと、外周突出部の下部に配置された排気口１３１ｃとを有し、ファンカバーは、電動送風機の上部を覆い吸気口と連通する上流側通気口１３２ａ１１を有する吸気ダクト部材１３２ａと、吸気ダクト部材と接合され排気口と連通する下流側通気口１３２ｂ１３を有する排気ダクト部材１３２ｂとを有し、吸気ダクト部材と排気ダクト部材との接合部分および接合部分と外周突出部との間に配置された環状のパッキン１３４は、その内周面における外周突出部との接触部分に複数のリブを有する。【選択図】図９
2015051075.tif 000002
【特許請求の範囲】
【請求項１】
電動送風機ユニットを内蔵する筐体を有する掃除機本体を備え、
前記電動送風機ユニットは、電動送風機と、この電動送風機を収納するファンカバーと、このファンカバーと前記電動送風機との間に設けられたパッキンとを有し、
前記電動送風機は、径方向に突出した外周突出部と、前記外周突出部よりも上部に配置された吸気口と、前記外周突出部よりも下部に配置された排気口とを有し、
前記ファンカバーは、前記電動送風機の上部を覆い前記吸気口と連通する上流側通気口を有する吸気ダクト部材と、この吸気ダクト部材と接合され前記排気口と連通する下流側通気口を有する排気ダクト部材とを有してなり、
前記パッキンは、前記吸気ダクト部材と前記排気ダクト部材との接合部分およびこの接合部分と前記電動送風機の前記外周突出部との間に配置された環状の第１パッキンを有してなり、
前記第１パッキンは、その内周面における前記電動送風機の前記外周突出部との接触部分に複数のリブを有していることを特徴とする電気掃除機。
【請求項２】
前記ファンカバーの排気ダクト部材は、前記電動送風機に電気的に接続されるリード線を挿通させる切欠き部を前記上方開口部の縁部に有し、
前記パッキンは、前記吸気ダクト部材の前記上流側通気口と前記電動送風機の前記吸気口との間に配置された環状の第２パッキンと、前記切欠き部と前記リード線との間の隙間を塞ぐ第３パッキンとをさらに有する請求項１に記載の電気掃除機。
【請求項３】
前記ファンカバーは、前記排気ダクト部材における前方位置に前記下流側通気口を有し、
前記筐体は、前記排気ダクト部材の下流側通気口から排出した気流を後方へＵターンさせるよう、前記排気ダクト部材の前記下流側通気口の前方位置および前記排気ダクト部材の下方位置に通風経路を有し、
前記通風経路における前記排気ダクト部材の下流側通気口よりも低い位置にフィルターが設けられている請求項１または２に記載の電気掃除機。
【請求項４】
電動送風機ユニットを内蔵する筐体を有する掃除機本体と、この掃除機本体に接続される吸引ホースと、この吸引ホースに接続される吸込口体とを備え、
前記筐体は、ハンドルと、このハンドル付近に設けられた第１係合部とを有し、
前記吸引ホースは、前記第１係合部と係脱可能な第２係合部を有し、
前記吸引ホースを前記ハンドルに引っ掛けるようにして前記筐体に巻き付けた状態で前記第２係合部が前記第１係合部に係合可能とされていることを特徴とする電気掃除機。
【請求項５】
電動送風機ユニットを内蔵する筐体を有する掃除機本体と、この掃除機本体に接続される吸引ホースと、この吸引ホースに接続される吸込口体とを備え、
前記掃除機本体には左右一対の車輪が設けられており、
前記筐体は、左右一対の前記車輪を覆う左右一対の車輪カバーと、ハンドルとを有し、
前記ハンドルは、その外面の左右位置にリブを有し、
前記左右一対の車輪カバーは、前記ハンドルの左右のリブを覆う形状に形成されていることを特徴とする電気掃除機。
【発明の詳細な説明】
【技術分野】
【０００１】
本発明は電気掃除機に関する。
【背景技術】
【０００２】
従来の電気掃除機として、例えば、特許文献１には、電動送風機と、この電動送風機をその回転軸が重力方向を向くように収納するファンカバーと、これらを内部に収納する筐体とを有する掃除機本体を備えた電気掃除機が開示されている。
【０００３】
前記掃除機本体において、ファンカバーは、吸気ダクトと排気ダクトとを有し、排気ダクトの略円形の開口端縁にシール部材を介して吸気ダクトが接合されることにより構成されている。
【０００４】
また、吸気ダクトの下面にはリング形の固定部材によってリング形の気密部材が固定されており、この気密部材がファンカバー内に収納された電動送風機の吸込口の周囲に当接することにより、吸気ダクトと電動送風機との間がシールされると共に、気密部材によって電動送風機の下部が排気ダクトの底部に押さえ付けられている。
【０００５】
さらに、ファンカバーの内周面と電動送風機の外部突出状の外周面との間には、リング形の弾性支持手段が設けられており、この弾性支持手段によって電動送風機が位置決めされている。
【０００６】
なお、前記弾性支持手段は、平らな上面を有するリング部およびリング部の外周縁部から上方に直角に立ち上がる立上部とからなる支持部材と、前記立上部の外周面に周方向等間隔で設けられた３個のボス部と、各ボス部に嵌め込まれたコイルスプリングと、前記立上部の内周面における各ボス部の位置に設けられた当接部とを有してなる。
【先行技術文献】
【特許文献】
【０００７】
【特許文献１】特開２０１３−１３７号公報
【発明の概要】
【発明が解決しようとする課題】
【０００８】
前記従来の電気掃除機の場合、電動送風機を位置決めするために弾性支持手段をファンカバー内に組み付けなければならず、そのため、組み立て工数、部品点数およびコストが増加する。
また、弾性支持手段をファンカバー内に組み付ける際、作業者によって電動送風機に対する当接部の位置およびファンカバーに対するコイルスプリングの位置にバラツキがあると、電動送風機からファンカバーを介して筐体に伝わる振動にもバラツキが生じ、電気掃除機の品質にバラツキが生じてしまう。
【０００９】
また、ファンカバー内に弾性支持手段を収容するスペースが必要となるため、その分ファンカバーが大きくなってしまい、掃除機本体の小型化に不利である。
さらに、特許文献１には、電動送風機のリード線をファンカバーの外部に導出しシールする構造が開示されておらず、ファンカバーにおけるリード線の導出孔のシールが不十分であった場合は電動送風機からの排気流の一部が排気経路を通らず筐体内へ流入する「排気漏れ」が生じてしまう。排気漏れにより、排気のクリーン性能が低下し、かつ騒音が増加するといった不具合が生じる。
【００１０】
本発明は、このような課題に鑑みなされたものであり、組み立て工数、部品点数およびコストの削減、小型化、品質のバラツキ抑制および品質向上を図ることができる電気掃除機を提供することを目的とする。
【課題を解決するための手段】
【００１１】
かくして、本発明によれば、電動送風機ユニットを内蔵する筐体を有する掃除機本体を備え、
前記電動送風機ユニットは、電動送風機と、この電動送風機を収納するファンカバーと、このファンカバーと前記電動送風機との間に設けられたパッキンとを有し、
前記電動送風機は、径方向に突出した外周突出部と、前記外周突出部よりも上部に配置された吸気口と、前記外周突出部よりも下部に配置された排気口とを有し、
前記ファンカバーは、前記電動送風機の上部を覆い前記吸気口と連通する上流側通気口を有する吸気ダクト部材と、この吸気ダクト部材と接合され前記排気口と連通する下流側通気口を有する排気ダクト部材とを有してなり、
前記パッキンは、前記吸気ダクト部材と前記排気ダクト部材との接合部分およびこの接合部分と前記電動送風機の前記外周突出部との間に配置された環状の第１パッキンを有してなり、
前記第１パッキンは、その内周面における前記電動送風機の前記外周突出部との接触部分に複数のリブを有している電気掃除機が提供される。
【発明の効果】
【００１２】
本発明の電気掃除機によれば、吸気ダクト部材と排気ダクト部材との接合部分のシールおよびファンカバーにおける電動送風機の位置決めを、１つの第１パッキンによって行うことができる。そのため、電動送風機ユニットの組み立て工数、部品点数およびコストを削減することができる。
また、ファンカバーと電動送風機との間の隙間に第１パッキンの複数のリブが配置されて電動送風機を位置決するため、隙間を小さく設定してファンカバーを小型化することができ、掃除機本体の小型化に有利となる。
また、第１パッキンは、吸気ダクト部材と排気ダクト部材との接合部分の形状と一致した形状に形成可能であるため、作業者によって第１パッキンの組み付けにバラツキが生じることがない。この結果、電動送風機からファンカバーを介して筐体に伝わる振動にバラツキが生じ、それによって電気掃除機の品質にバラツキが生じてしまう、という不具合が抑制される。
【図面の簡単な説明】
【００１３】
【図１】本発明の電気掃除機の実施形態１を示す斜視図である。
【図２】図１で示された電気掃除機における掃除機本体を示す斜視図である。
【図３】図２で示された掃除機本体の断面図である。
【図４】図２で示された掃除機本体における筐体の構造を説明する分解図である。
【図５】図２で示された掃除機本体における筐体の構造を説明する別の分解図である。
【図６】図２で示された掃除機本体の筐体の一部を取り外した状態を示す斜視図である。
【図７】図６で示された掃除機本体の吸気ダクト部材を取り外した状態を示す平面図である。
【図８】図２で示された掃除機本体における電動送風機ユニットの分解図である。
【図９】図２で示された掃除機本体における電動送風機ユニットの断面図である。
【図１０】図９で示された電動送風機ユニットにおける第１パッキンの平面図である。
【図１１】図９で示された電動送風機ユニットの部分拡大断面図である。
【図１２】図９で示された電動送風機ユニットにおける第３パッキンの正面図である。
【図１３】図９で示された電動送風機ユニットにおけるファンカバーへの第３パッキンの取り付け状態を示す説明図である。
【図１４】図１で示された電気掃除機における集塵装置を示し、（Ａ）は右側面図、（Ｂ）は背面図である。
【図１５】図１４の集塵装置の断面図である。
【図１６】図１で示された電気掃除機における吸引ホースの操作部の斜視図である。
【図１７】図１で示された電気掃除機における吸引ホースの延長ホース部の斜視図である。
【図１８】図２で示された掃除機本体およびハンドルに取り付けられる第１係止部の分解した状態を示す斜視図である。
【図１９】図１で示された電気掃除機のコンパクトな収納状態を説明する斜め前方から見た図である。
【図２０】図１で示された電気掃除機のコンパクトな収納状態を説明する斜め後方から見た図である。
【図２１】図１で示された電気掃除機における吸込口体の斜視図である。
【図２２】本発明の電気掃除機の実施形態２における電動送風機ユニットの部分断面図である。
【図２３】図２２で示された電動送風機ユニットにおける消音部材が巻き付けられた電動送風機を示す斜視図である。
【図２４】図２３で示された電動送風機を排気ダクト部材に収納しようとする状態を説明する図である。
【図２５】図２で示された掃除機本体から集塵装置を取り外した駆動装置を示す斜視図である。
【発明を実施するための形態】
【００１４】
（実施形態１）
図１は本発明の電気掃除機の実施形態１を示す斜視図である。
この電気掃除機Ａは、集塵装置１１０と駆動装置１２０とを有する掃除機本体１００と、吸込口体３００と、この吸込口体３００と掃除機本体１００とを接続する吸引ホース２００とを備える。
【００１５】
＜掃除機本体の駆動装置＞
図２は図１で示された電気掃除機における掃除機本体を示す斜視図であり、図３は図２で示された掃除機本体の断面図であり、図４は図２で示された掃除機本体における筐体の構造を説明する分解図であり、図５は図２で示された掃除機本体における筐体の構造を説明する別の分解図であり、図６は図２で示された掃除機本体の筐体の一部を取り外した状態を示す斜視図である。
【００１６】
図１〜図６に示すように、掃除機本体１００は、サイクロン方式の集塵装置１１０と、集塵装置１１０を前方にて着脱可能に支持する駆動装置１２０とを備える。
駆動装置１２０は、筐体１２１と、筐体１２１内に収納される電動送風機ユニット１３０、コードリールＣ、集塵駆動部Ｄおよび中継管１２７と、筐体１２１の左右両側に回転可能に設けられた一対の車輪１２２と、一対の車輪１２２を覆う車輪カバー１２３ａおよび一対の化粧カバー１２３ｂと、筐体１２１の下部前方に首振り可能に設けられた前輪１２４と、筐体１２１の下部後方に設けられた後輪１２５と、筐体１２１の上方に設けられたハンドル１２６とを備える。
【００１７】
〔筐体〕
筐体１２１は、下カバー部材１２１ａと、上カバー部材１２１ｂと、前カバー部材１２１ｃと、集塵駆動部カバー１２１ｄと、差込口カバー１２１ｅとを有してなる。
下カバー部材１２１ａは、集塵駆動部Ｄを支持する支持プレート部１２１ａ1を前部に有すると共に、支持プレート部１２１ａ1の下部に吸引ホース２００の可撓性ホース部２１１を差し込む差込口１２１ａ21を形成する差込口部１２１ａ2を有している。また、下カバー部材１２１ａの後部には複数の排気孔１２１ａ3が形成されている。
【００１８】
そして、この下カバー部材１２１ａの前部にて集塵駆動部Ｄが支持され、下カバー部材１２１ａの中央部から後部に亘って電動送風機ユニット１３０が支持され、電動送風機ユニット１３０の左右一方側にコードリールＣが配置されている。
また、差込口部１２１ａ2には、差込口パッキン１２１ｆおよび電気的に接続を行うコネクタ１２１ｇが取り付けられ、さらにこれらの部品を押さえる差込口カバー１２１ｅがネジにて固定される。
【００１９】
上カバー部材１２１ｂは、電動送風機ユニット１３０およびコードリールＣを覆うように下カバー部材１２１ａに組み付けられ、その左右位置にはハンドル１２６を取り付けるための差し込み口１２１ｂ1が設けられ、後方位置にはフック受け部１２１ｂ2が設けられている。フック受け部１２１ｂ2は、吸引ホース２００をそのままの状態でフック受け部１２１ｂ2に差し込んで立てて置くときに使用される。なお、本発明の電気掃除機の使用状況およびフック受け部１２１ｂ2の役割について詳しくは後述する。
【００２０】
前カバー部材１２１ｃは、下カバー部材１２１ａの支持プレート部１２１ａ1上に設けられ、支持プレート部１２１ａ1の円弧前端に沿うリング部１２１ｃ1と、上カバー部材１２１ｂの前方を覆う半円筒状壁部１２１ｃ2とを有する。そして、この半円筒状壁部１２１ｃ2には、Ｕ字形の前記中継管１２７の下流側開口部１２７ａ（図６参照）を露出させる開口部１２１ｃ3が形成されている。なお、中継管１２７の図示しない上流側開口部は差込口パッキン１２１ｆと接続される。
【００２１】
集塵駆動部カバー１２１ｄは、下カバー部材１２１ａの支持プレート部１２１ａ1上に設けられる集塵駆動部Ｄを覆うように、かつ前カバー部材１２１ｃのリング部１２１ｃ1上に重ねられるように設けられる。
また、集塵駆動部カバー１２１ｄの上面には中心孔１２１ｄ1を有する環状凸部１２１ｄ2が設けられ、この環状凸部は後述するダストカップ１１０の底蓋１１１ｂの下面に設けられた環状凹部と嵌合する。
【００２２】
なお、集塵駆動部Ｄは、後述する集塵装置１１０のゴミ圧縮およびフィルター清掃を行う動力源となる機構であり、正逆回転可能なモータＤｍ、相互に噛合する複数のギアＤｇ1〜Ｄｇ3、ギアＤｇ3上に一体化されたギアＤｇ4およびこれらを収納するケースＤｃとを備える。
図２５は図２で示された掃除機本体１００から集塵装置１１０を取り外した駆動装置１２０を示す斜視図である。図２５に示すように、集塵駆動カバー１２１ｄの環状凸部１２１ｄ2の内周面には窓部が形成されており、集塵装置１１０が取り外されることにより、この窓部を通してギアＤｇ4の一部が集塵駆動カバー１２１ｄの上面（環状凸部１２１ｄ2側）に露出する。
【００２３】
〔電動送風機ユニット〕
図７は図６で示された掃除機本体の吸気ダクト部材を取り外した状態を示す平面図であり、図８は図２で示された掃除機本体における電動送風機ユニットの分解図であり、図９は図２で示された掃除機本体における電動送風機ユニットの断面図である。また、図１０は図９で示された電動送風機ユニットにおける第１パッキンの平面図であり、図１１は図９で示された電動送風機ユニットの部分拡大断面図であり、図１２は図９で示された電動送風機ユニットにおける第３パッキンの正面図であり、図１３は図９で示された電動送風機ユニットにおけるファンカバーへの第３パッキンの取り付け状態を示す説明図である。
【００２４】
図６〜図１３に示すように、電動送風機ユニット１３０は、電動送風機１３１と、この電動送風機１３１をその回転軸が重力方向を向くように収納するファンカバー１３２と、このファンカバー１３２と電動送風機１３１との間に設けられた第１および第２パッキン１３４、１３３と、電動送風機１３１のリード線１３１ｄとファンカバー１３２との間に設けられた第３パッキン１３５と、四角形のフィルター１３６と、ファンカバー１３２内の電動送風機１３１を支持する弾性支持部材１３７とを有し、第１〜第３パッキン１３４、１３３、１３５および弾性支持部材１３７はゴムやシリコーン樹脂といった弾性材料からなる。
【００２５】
電動送風機１３１は、上方から視て円形に径方向に突出した外周突出部１３１ａと、外周突出部１３１ａよりも上部の回転軸心位置に配置された吸気口１３１ｂと、外周突出部１３１ａの下部に配置された排気口１３１ｃとを有する。なお、電動送風機１３１における外周突出部１３１ａよりも下部には、電動送風機１３１のモータの一対の端子に電気的に接続された一対のリード線１３１ｄが設けられている。
【００２６】
ファンカバー１３２は、電動送風機１３１の上部を覆い吸気口１３１ｂと連通する上流側通気口１３２ａ11を有する吸気ダクト部材１３２ａと、この吸気ダクト部材１３２ａと接合され排気口１３１ｃと連通する下流側通気口１３２ｂ13を有する排気ダクト部材１３２ｂとを有してなる。
【００２７】
吸気ダクト部材１３２ａは、上流側通気口１３２ａ11および上流側通気口１３２ａ11の左右両側に設けられた一対の係止凹部１３２ａ12を有する第１部材１３２ａ1と、第１部材１３２ａ1と電動送風機１３１とを接続する第２部材１３２ａ2とを有してなる。なお、一対の係止凹部１３２ａ12の役割について詳しくは後述する。
【００２８】
第２部材１３２ａ2は、第１部材１３２ａ1の下端開口部と接合される上接合部１３２ａ21と、排気ダクト部材１３２ｂの上方開口部と接合される下接合部１３２ａ23と、上接合部１３２ａ21と下接合部１３２ａ23との間に設けられた円形部１３２ａ22とを有し、円形部１３２ａ22の中心位置に貫通孔１３２ａ24が形成されている。
【００２９】
排気ダクト部材１３２ｂは、電動送風機収納部１３２ｂ1を上部に有すると共に、通気路形成部１３２ｂ2を下部に有している。
電動送風機収納部１３２ｂ1は、電動送風機１３１の下部を弾性支持部材１３７を介して支持する底壁１３２ｂ11と、電動送風機１３１を収納するスペースを形成する周囲壁１３２ｂ12と、周囲壁１３２ｂ12の前面側に形成された下流側通気口１３２ｂ13と、周囲壁１３２ｂ12の上端縁における下流側通気口１３２ｂ13を避けた位置に形成されたＵ字形の切欠き部１３２ｂ14とを有する（図１３参照）。
【００３０】
通気路形成部１３２ｂ2は、下流側通気口１３２ｂ13の下に設けられたフィルター１３６を嵌め込む四角形の枠部１３２ｂ21と、枠部１３２ｂ21の左右辺から後方へ延設された一対の側壁１３２ｂ22とを有する。なお、一方の側壁１３２ｂ22にはコードリールＣへ排気の一部を導入するための開口１３２ｂ23が形成されている（図９参照）。
【００３１】
第２パッキン１３３は、環状に形成されており、吸気ダクト部材１３２ａの上流側通気口１３２ａ11と電動送風機１３１の吸気口１３１ｂとの間、具体的には、円形部１３２ａ22の貫通孔１３２ａ24の外周縁と吸気口１３１ｂの外周縁との間に配置され、これらの間をシールしている。
【００３２】
図１０と図１１に示すように、第１パッキン１３４は、環状に形成されており、吸気ダクト部材１３２ａと排気ダクト部材１３２ｂとの接合部分およびこの接合部分と電動送風機１３１の外周突出部１３１ａとの間に配置されている。詳しく説明すると、第１パッキン１３４は、排気ダクト部材１３２ｂの上方開口端縁と同じ形状に形成された環状のパッキン本体１３４ａと、パッキン本体１３４ａの内周面における電動送風機１３１の外周突出部１３１ａとの接触部分に設けられた複数のリブ１３４ｂとを有している。また、パッキン本体１３４ａの下端面には、排気ダクト部材１３２ｂの上方開口端縁が嵌め込まれる溝１３４ａ11が形成されている。
【００３３】
実施形態１の場合、排気ダクト部材１３２ｂの上方開口端縁は、円弧部分と略Ｖ字形の直線部分とが繋がったリング形状であり（図８参照）、これと同じ形状およびサイズでパッキン本体１３４ａが形成されている。すなわち、パッキン本体１３４ａは円弧部分１３４ａ1と略Ｖ字形直線部分１３４ａ2とを有してなる。そして、主として、パッキン本体１３４ａの円弧部分１３４ａ1の内周面に複数のリブ１３４ｂが形成され、Ｖ字形直線部分１３４ａ2の内周面の１箇所以上にもリブ１３４ｂが形成されている。
【００３４】
実施形態１の場合、パッキン本体１３４ａの円弧部分１３４ａ1の７箇所とＶ字形直線部分１３４ａ2の２箇所にリブ１３４ｂが形成され、全てのリブ１３４ｂが電動送風機１３１の外周突出部１３１ａと接触している。このとき、電動送風機１３１の回転軸心の中心角度θが１８０°を越える範囲に亘って複数のリブ１３４ｂが外周突出部１３１ａと接触することが、ファンカバー１３２内における電動送風機１３１の位置決め精度およびがたつき防止効果を高めることができる上で好ましい（図１０、１１参照）。
【００３５】
第１パッキン１３４によれば、そのパッキン本体１３４ａによって吸気ダクト部材１３２ａの下接合部１３２ａ23と排気ダクト部材１３２ｂの電動送風機収納部１３２ｂ1との間がシールされると共に、複数のリブ１３４ｂによって電動送風機１３１の電動送風機収納部１３２ｂ1における位置決めおよびがたつき防止がなされる。なお、吸気ダクト部材１３２ａの下接合部１３２ａ23は、排気ダクト部材１３２ｂの電動送風機収納部１３２ｂ1の上方開口端縁に嵌め込まれた第１パッキン１３４のパッキン本体１３４ａに隙間無く嵌り込む形状に形成されている。
【００３６】
図１２と図１３に示すように、第３パッキン１３５は、略Ｕ字形の本体部１３５ａと、本体部１３５ａの両端面に設けられた凸部１３５ｂとを有する。これらの凸部１３５ｂの厚さは、排気ダクト部材１３２ｂの電動送風機収納部１３２ｂ1の上方開口端縁の厚さとほぼ同じである。
また、本体部１３５ａにおいて、略Ｖ字形の内面の底部に略円形の第１切欠き部１３５ａ1が形成されると共に、前記内面の対向位置であって第１切欠き部１３５ａ1の少し上に一対の半円形の第２切欠き部１３５ａ2が形成されている。
【００３７】
第３パッキン１３５を排気ダクト部材１３２ｂの前記Ｕ字形の切欠き部１３２ｂ14に奥まで嵌め込むことにより、第３パッキン１３５の対向する内面が密着してそれらの間の隙間が塞がれるが、第１切欠き部１３５ａ1および一対の第２切欠き部１３５ａ2によって上下２つの貫通孔が形成される。ファンカバー１３２の組み立て時には、この上下の貫通孔に電動送風機１３１の一対のリード線１３１ｄが挿通されてファンカバー１３２の外部へ引き出される。
【００３８】
また、第３パッキン１３５の一対の凸部１３５ｂが密着してそれらの間の隙間が塞がれると共に、一対の凸部１３５ｂの上端面と電動送風機収納部１３２ｂ1の上方開口端縁とがほぼ同じ高さで揃うこととなる。したがって、第１パッキン１３４のパッキン本体１３４ａの溝１３４ａ11に電動送風機収納部１３２ｂ1の上端縁を嵌め込む際、パッキン本体１３４ａの溝１３４ａ11に第３パッキン１３５の一対の凸部１３５ｂが嵌り込む。
【００３９】
第３パッキン１３５によれば、電動送風機収納部１３２ｂ1の切欠き部１３２ｂ14と一対のリード線１３１ｄとの間がシールされる。また、第３パッキン１３５の本体部１３５ａの上端面と第１パッキン１３４のパッキン本体１３４ａの下端面とが密着し、これらの間がシールされる。
【００４０】
図３と図９に示すように、ファンカバー１３２は、排気ダクト部材１３２ｂにおける前方位置に前記下流側通気口１３２ｂ13を有している。
また、ファンカバー１３２と下カバー部材１２１ａと前カバー部材１２１ｃとによって、排気ダクト部材１３２ｂの下流側通気口１３２ｂ13から排出した気流を後方へＵターンさせるよう、排気ダクト部材１３２ｂの下流側通気口１３２ｂ13の前方位置および排気ダクト部材１３２ｂの下方位置に通風経路Ｖが形成されている。
【００４１】
詳しく説明すると、排気ダクト部材１３２ｂの下流側通気口１３２ｂ13の前方には前カバー部材１２１ｃが設けられ、前カバー部材１２１ｃおよび排気ダクト部材１３２ｂは下方の下カバー部材１２１ａにて支持されている。そのため、排気ダクト部材１３２ｂの前方から下方後方へ折り返す通風経路Ｖが形成されている。
【００４２】
また、この通風経路Ｖにおける排気ダクト部材１３２ｂの下流側通気口１３２ｂ13よりも低い位置には電動送風機１３１の回転素子から発生する粉塵などのゴミを収集するためのフィルター１３６が設けられている。この位置にフィルター１３６を設けることにより、電動送風機１３１の下方の通風経路Ｖの上下方向の幅がある程度広く確保される。また、フィルター１３６が電動送風機１３１よりも下に配置されるため、フィルター１３６の交換を前提として設計する場合、重要部品である電動送風機１３１の方に手を差し入れ難くする設計が容易となる。
【００４３】
〔駆動装置のその他の構成〕
図５に示すように、ハンドル１２６は、正面から視て倒立Ｕ字形に形成され外面側に複数のリブ１２６ａ1を有する本体部材１２６ａと、本体部材１２６ａの上面側のリブ１２６ａ1を覆うカバー部材１２６ｂとを有する。また、本体部材１２６ａの左右両端には一対の差し込み片１２６ａ2が設けられており、上カバー部材１２１ｂに形成された左右一対の差し込み口１２１ｂ1に一対の差し込み片１２６ａ2が差し込まれ、それらがネジ止めされる。
【００４４】
また、下カバー部材１２１ａの左右側壁１２１ａ4に形成された車輪取付孔１２１ａ41に一対の車輪１２２が取り付けられ、上カバー部材１２１ｂが下カバー部材１２１ａに接合され、各車輪１２２を覆うように一対の車輪カバー１２３ａが下カバー部材１２１ａおよび上カバー部材１２１ｂに取り付けられる。
この車輪カバー１２３ａは、円形部１２３ａ1と、円形部１２３ａ1の上部から上方へ延設された延出部１２３ａ2とを有してなる。
【００４５】
ハンドル１２６の本体部材１２６ａが上カバー部材１２１ｂに固定された状態において、各車輪カバー１２３ａの円形部１２３ａ1にて車輪１２２が覆われると共に、延出部１２３ａ2にて本体部材１２６ａの左右両側のリブ１２６ａ1が覆われる。
このとき、各車輪カバー１２３ａの延出部１２３ａ2の内面に設けられた押え片１２３ａ3が本体部材１２６ａの両端のリブ１２６ａ1で囲まれた凹部に差し込まれた状態でネジ止めが行われる。また、各車輪カバー１２３ａの延出部１２３ａ2の先端にてカバー部材１２６ｂの両端が押え込まれる。これにより、ハンドル１２６自体の強度とハンドル１２６の取り付け強度の両方が増強される。また、ハンドル１２６の組立工程は車輪カバー１２３ａの組立工程の一部として含まれるため短縮化される。
なお、車輪カバー１２３ａの円形部１２３ａ1の内面にも下カバー部材１２１ａおよび上カバー部材１２１ｂの左右側面に設けられた係止凹部と係止する係止片が設けられている。また、化粧カバー１２３ｂは車輪カバー１２３ａの円形部１２３ａ1の下部に取り付けられる。
【００４６】
また、ハンドル１２６の左右両端の一方には、第１係合部１２８が設けられる。この第１係合部１２８は、図５と図１８に示すように、係合凹部１２８ａ1を有する第１部材１２８ａと、第１部材１２８ａをハンドル１２６に取り付ける第２部材１２８ｂとを有し、ハンドル１２６を挟み込むようにして第１および第２部材１２８ａ、１２８ｂがネジにて結合される。
係合凹部１２８ａ1は、後述する吸引ホース２００に設けられた第２係合部２１２ｄ（図１６参照）と係脱可能に係合する部分である。実施形態１の場合、第１部材１２８ａの外面に略Ｕ字形のリブを形成し、略Ｕ字形のリブに対向する一対の抜け止め片が設けられることにより係合凹部１２８ａ1が形成されている。
【００４７】
＜掃除機本体の集塵装置＞
図１４は図１で示された電気掃除機における集塵装置を示し、（Ａ）は右側面図、（Ｂ）は背面図であり、図１５は図１４の集塵装置の断面図である。
図２、図３、図１４および図１５に示されるように、集塵装置１１０は、上方開口部を有するダストカップ１１１と、このダストカップ１１１の上方開口部に着脱可能に取り付けられるフィルターユニット１１２とを備える。
【００４８】
ダストカップ１１１は、塵埃の流入口１１１ａ1が形成された円筒状の集塵容器１１１ａと、集塵容器１１１ａの底を開閉可能に塞ぐ底蓋１１１ｂと、底蓋１１１ｂに設けられた第１回転力伝達機構１１１ｃとを有する。
【００４９】
集塵容器１１１ａは、上方に向かって拡径する上方開口端縁を有し、その上方開口端縁の外周面に雄ネジ部１１１ａ3が形成されており、フィルターユニット１１２の後述するフィルターカバー１１２ｃの下方開口部の内周面に形成された雌ネジ部１１２ｃ3と螺合する。
また、集塵容器１１１ａにおいて、流入口１１１ａ1は集塵容器１１１ａの周側面から該周側面の接線方向に沿って延びるように形成され、先端には中継管１２７の下流側開口部１２７ａ（図６参照）との接続を確実にするフランジ１１１ａ2が形成されている。
【００５０】
また、第１回転力伝達機構１１１ｃは、底蓋１１１ｂの中央位置を貫通して回転可能に設けられた軸部１１１ｃ1と、軸部１１１ｃ1の上端に設けられた係合凸部１１１ｃ2と、軸部１１１ｃ1の下端に設けられたギア１１１ｃ3とを有してなる。
駆動装置１２０に集塵装置１１０が装着された状態において、ギア１１１ｃ3は、集塵駆動部カバー１２１ｄの中心孔１２１ｄ1に嵌り込んで集塵駆動部ＤのギアＤｇ4と噛合する（図４と図６参照）。これにより、集塵駆動部Ｄからの回転力がギアＤｇ4を介して第１回転力伝達機構１１１ｃに伝わる。これについて詳しくは後述する。
【００５１】
フィルターユニット１１２は、プリーツ状の排気側フィルター（例えば、ＨＥＰＡフィルター）１１２ａと、この排気側フィルター１１２ａを下方から着脱可能に収納するフィルターケース１１２ｂと、フィルターケース１１２ｂに着脱可能に取り付けられて前記排気側フィルターを覆うフィルターカバー１１２ｃと、フィルターケース１１２ｂの下部に連結された内筒部１１２ｄと、内筒部１１２ｄの外周面に形成された複数のスリットを覆うように設けられた図示しない吸気側フィルターと、排気側フィルター１１２ａを振動させて除塵する除塵機構１１２ｆと、駆動装置１２０の除塵駆動部Ｄからの回転力を除塵機構１１２ｆに伝達する第２回転力伝達機構と、フィルターカバー１１２ｃとフィルターケース１１２ｂとを相互に取り外し可能に連結するロック機構１１２ｇとを備える。
【００５２】
フィルターカバー１１２ｃは、カバー本体１１２ｃ1と、カバー本体１１２ｃ1の上面側に揺動可能に設けられた略Ａ字形のハンドル部１１２ｃ2とを有する。なお、ハンドル部１１２ｃ2は、その左右後端付近がカバー本体１１２ｃ1の後部に水平軸にて枢着されている。
カバー本体１１２ｃ1は、その後部に排気口１１２ｃ11を有すると共に、排気口１１２ｃ11の左右両側に一対の係止爪１１２ｃ12が設けられている。
また、カバー本体１１２ｃ1の排気口１１２ｃ11は、電動送風機ユニット１３０の吸気ダクト部材１３２ａの上流側通気口１３２ａ11（図６参照）と密封状に接続される。
【００５３】
集塵装置１１０が駆動装置１２０に装着された状態において、一対の係止爪１１２ｃ12が吸気ダクト部材１３２ａの一対の係止凹部１３２ａ12に係止しており、これにより集塵装置１１０が駆動装置１２０から不意に脱落しないようになっている。また、ユーザーがハンドル部１１２ｃ2を握って持ち上げることにより、ハンドル部１１２ｃ2の前端が上方へ揺動し、かつ後端の左右一対の係止爪１１２ｃ12が下方へ揺動し、それによりハンドル部１１２ｃ2側の一対の係止爪１１２ｃ12が駆動装置１２０側の一対の係止凹部１３２ａ12から離脱するため、集塵装置１１０を駆動装置１２０から取り外すことができる。
【００５４】
フィルターユニット１１２は、集塵容器１１１ａの雄ネジ部１１１ａ3とフィルターケース１１２ｂの雌ネジ部１１２ｃ3との螺合を解除してダストカップ１１１からフィルターユニット１１２を取り外すことにより、ロック機構１１２ｇが解除可能となるように構成されている。
【００５５】
第２回転力伝達機構は、内筒部１１２ｄの下端に回転可能に設けられた下連結筒部１１２ｈと、内筒部１１２ｄの内側に回転可能に設けられると共に下連結筒部１１２ｈと一体回転可能に連結する上連結筒部１１２ｉと、下連結筒部１１２ｈの下端開口部に設けられてダストカップ１１１の第１回転力伝達機構１１１ｃの係合凸部１１１ｃ2と係脱可能に係合する係合凹部１１２ｊとを有する。なお、下連結筒部１１２ｈの外周面には、ダストカップ１１１内のゴミを圧縮するための螺旋羽根１１２ｋが一体状に設けられている。
【００５６】
除塵機構１１２ｆは、排気側フィルター１１２ａに対して回転可能に設けられた中心軸１１２ｆ1と、この中心軸１１２ｆ1の上端と連結する円形枠体１１２ｆ2と、円形枠体１１２ｆ2に周方向に等間隔で複数個設けられて排気側フィルター１１２ａと当接する当接部１１２ｆ3と、中心軸１１２ｆ1の下端と連結すると共に回転時にフィルターケース１１２ｂの逆テーパ状の底面と摺接して塵埃をダストカップ１１１内に落下させるワイパー部材１１２ｆ4とを有する。
【００５７】
ワイパー部材１１２ｆ4の下端には中心軸１１２ｆ1を中心とした１８０°の対向位置に図示しない一対の係止凹部が設けられ、一方、前記第２回転力伝達機構の上連結筒部１１２ｉの上端には一対の係止凸部が設けられており、これらの係止凸部は係止凹部に係脱可能に係止している。
【００５８】
このように構成された集塵装置１１０によれば、駆動装置１２０の除塵駆動部Ｄからの回転力は、ギア１１１ｃ3に伝達され、係合凸部１１１ｃ2および係合凹部１１２ｊを介して下連結筒部１１２ｈおよび上連結筒部１１２ｉに伝達され、前記係止凸部および係止凹部を介してワイパー部材１１２ｆ4および中心軸１１２ｆ1に伝達され、円形枠体１１２ｆ2を介して複数の当接部１１２ｆ3に伝達される。
【００５９】
これにより、排気側フィルター１１２ａのプリーツ状の山に複数の当接部１１２ｆ3が円運動をしながら衝突して排気側フィルター１１２ａを振動させ、それによって排気側フィルター１１２ａの下面側に付着した塵埃が振り落とされる。
なお、当接部１１２ｆ3は、例えば、排気側フィルター１１２ａのプリーツ状の山に当接する半球部材と、半球部材を排気側フィルター１１２ａの方へ弾発付勢するスプリングと、スプリングおよび半球部材を保持するホルダ部とを有する構成とすることができる。
【００６０】
＜吸引ホース＞
図１６は図１で示された電気掃除機における吸引ホースの操作部の斜視図であり、図１７は図１で示された電気掃除機における吸引ホースの延長ホース部の斜視図であり、図１８は図２で示された掃除機本体およびハンドルに取り付けられる第１係止部の分解した状態を示す斜視図である。また、図１９は図１で示された電気掃除機のコンパクトな収納状態を説明する斜め前方から見た図であり、図２０は図１で示された電気掃除機のコンパクトな収納状態を説明する斜め後方から見た図である。
【００６１】
実施形態１の場合、吸引ホース２００は、掃除機本体１００に接続される一端を有する可撓性ホース部２１１、可撓性ホース部２１１の他端に接続される操作部２１２および操作部２１２に設けられたハンドル２１３を有するホース本体２１０と、ホース本体２１０と吸込口体３００とを接続する延長ホース２２０とを備える。
【００６２】
操作部２１２は、先端にブラシ２１２ｂが揺動可能に設けられたパイプ部２１２ａと、電動送風機１３１の出力を切り替える出力切替スイッチ、電動送風機１３１を停止させる停止スイッチなどが設けられたスイッチ部２１２ｃとを有する。そして、ハンドル２１３がスイッチ部２１２ｃと一体化されている。
また、可撓性ホース部２１１と操作部２１２のパイプ部２１２ａの配線接続部には導電性リングが用いられており、それによって可撓性ホース部２１１と操作部２１２とは相対的に回動自在に接続されている。これにより可撓性ホース部２１１の捻れが解消される。
【００６３】
さらに、パイプ部２１２ａの所定箇所には、第２係合部２１２ｄおよび第３係合部２１２ｅが設けられている。
第２係合部２１２ｄは、パイプ部２１２ａの軸心方向に長い係合片２１２ｄ1と、係合片２１２ｄ1をパイプ部２１２ａに固定する軸心方向に長い連結片１２１ｄ2とを有してなり、パイプ部２１２ａにおけるハンドル２１３から周方向に１８０°反対側に設けられている。
【００６４】
図１９および図２０に示すように、吸引ホース２００のホース本体２１０をハンドル１２６に引っ掛けるようにして駆動装置１２０に巻き付けた状態で第２係合部１２１ｄの係合片２１２ｄ1を第１係合部１２８の係合凹部１２８ａ1に差し込んで係合させる。これにより、ホース本体２１０が駆動装置１２０に巻き付いた状態が維持され、電気掃除機Ａをコンパクトに収納することができると共に、この状態のまま持ち運びすることもできる。
【００６５】
このとき、パイプ部２１２ａのブラシ２１２ｂを有する先端が駆動装置１２０の後方へ向き、かつパイプ部２１２ａの基端側が前方へ向かうにつれて下がるように、係合凹部１２８ａ1の差し込み口は後方斜め上に開口している。これにより、第１係合部１２８と第２係合部２１２ｄとの係合が不意に外れて操作部２１２が脱落するという不具合が抑制される。
【００６６】
図１６に示すように、第３係合部２１２ｅは、パイプ部２１２ａにおけるハンドル２１３から周方向に９０°程度ずれた位置に設けられており、第２係合部２１２ｄと同様に、パイプ部２１２ａの軸心方向に長い長円形の係合片と、係合片をパイプ部２１２ａに固定する軸心方向に長い連結片とを有してなる。この第３係合部２１２ｅは、後述する延長ホース２２０に設けられた第４係合部２２２と係合する部分である。
【００６７】
図１７に示すように、延長ホース２２０の曲面部分には、帯板材がＣ字形に湾曲してなる湾曲保持部材２２１が着脱可能に嵌め込まれている。この湾曲保持部材２２１の外面には、第４係合部２２２、第５係合部２２３および第６係合部２２４がこの順で周方向に９０°程度ずれた位置に設けられている。
【００６８】
第４係合部２２２は、横断面Ｌ字形のリブを平面視Ｕ字形に形成してなる係合凹部であり、係合凹部の差し込み口２２２ａは湾曲保持部材２２１の周方向と直交する方向に開口している。
第５係合部２２３は、前記第３係合部２１２ｅと同じ構成であり、延長ホース２２０の軸心方向に長い長円形の係合片と、係合片を湾曲保持部材２２１に固定する軸心方向に長い連結片とを有してなる。
第６係合部２２４は、第４係合部２２２と同じ構成の係合凹部であり、第４係合部２２２の差し込み口２２２ａと同じ方向に開口する差し込み口２２４ａを有している。
【００６９】
図１９に示すように、ホース本体部２１０を駆動装置１２０に巻き付けた状態において、第３係合部２１２ｅは操作部２１２の上側に配置されている。この第３係合部２１２ｅに、延長ホース２２０に設けられた第４係合部２２２を嵌め込むことにより、図２０に示すように、操作部２１２の上に延長ホース２２０が重ねられる。このとき、第６係合部２２４は延長ホース２２０の上側に配置される。
【００７０】
さらに、図２０に示すように、延長ホース２２０の上には延長ノズル２３０を重ねることができる。
この延長ノズル２３０は、延長ホース２２０の替わりにホース本体部２１０の操作部２１２に接続して幅の狭い隙間を掃除する際に使用されるものであり、その外面には第６係合部２２４と係合可能な第７係合部２３１を有している。この第７係合部２３１は、第３および第５係合部２１２ｅ、２２３と同様に構成されている。
【００７１】
＜吸込口体＞
図２１は図１で示された電気掃除機における吸込口体の斜視図である。
図１と図２１に示すように、実施形態１の場合、吸込口体３００は、吸込口本体３１０と、接続管３３０と、吸込口本体３１０と接続管３３０とを連結する連結管３２０とを備える。
【００７２】
吸込口本体３１０は、その下面に集塵開口部を有すると共に、回転ブラシを集塵開口部に回転可能に有している。また、吸込口本体３１０の内部には、回転ブラシを回転させるモータおよびモータからの回転力を回転ブラシに伝達する回転力伝達機構が設けられている。
【００７３】
連結管３２０は吸込口本体３１０に対して前後方向に首振り可能に連結され、接続管３３０は連結管３２０に対して前後方向に首振り可能に接続されている。
また、連結管３２０は、その軸心廻りに回動可能に相互に連結した第１筒部３２１および第２筒部３２２を有してなり、第１筒部３２１は吸込口本体３１０と連結し、第２筒部３２２は接続管３３０と連結している。
【００７４】
接続管３３０は、その裏面側にフック部３３１を有している。このフック部３３１は、図２０に示した電気掃除機Ａのコンパクトな収納時に、駆動装置１２０の後方位置に設けられた前記フック受け部１２１ｂ2に上方から差し込まれる。これにより、吸込口体３００を駆動装置１２０の後方位置に収めることができる。このとき、駆動装置１２０に巻き付けられたホース本体２１０の可撓性ホース部２１１は、駆動装置１２０のハンドル１２６と吸込口体３００の接続管３３０との間に位置する。
【００７５】
＜電気掃除機の収納形態＞
本発明の電気掃除機Ａによれば、図１９および図２０で説明したコンパクトな収納形態において、ホース本体部２１０は掃除機本体１００の駆動装置１２０の筐体１２１に係合部を介して結合しているため、ホース本体部２１０が掃除機本体１００に巻き付いた状態において、集塵装置１１０を駆動装置１２０から取り外すことができる。例えば、掃除終了後、コンパクトな収納形態とした電気掃除機Ａを収納場所に収納した後、その収納形態を崩すことなく集塵装置１１０を駆動装置１２０から取り外してゴミを廃棄し、それから集塵装置１１０を分解して吸気側および排気側フィルター１１２ａを洗浄し乾燥させるといったメンテナンスを行うことができる。
【００７６】
つまり、集塵装置１１０のメンテナンス中に駆動装置１２０、吸引ホース２００および吸込口体３００を邪魔とならないようコンパクトに収納できる。
また、仮に集塵装置１１０に係合部を設けてホース本体部２１０を集塵装置１１０に結合させると、集塵装置１１０自体が駆動装置１２０に対して着脱可能なため、集塵装置１１０に結合したホース本体部２１０の収納形態が不意に崩れてしまうおそれがあるが、本発明の電気掃除機Ａはそのようなことはない。
【００７７】
また、図示省略するが、本発明の電気掃除機Ａにおいて、駆動装置１２０の底面にもフック受け部を設けてもよい。これにより、掃除機本体１００の排気孔１２１ａ3を有する平らな後部を床面に接地して掃除機本体１００および吸引ホース２００を起立させ、露わになった前記フック受け部に吸込口体３００のフック部３３１を差し込み、電気掃除機Ａを立てた収納形態にすることができる。この場合、湾曲保持部材２２１は不要であるため延長ホース２２０から取り外してもよい。このとき、可撓性ホース部２１１を延長ホース２２０に巻き付けることにより邪魔とならない。このようにすれば、吸引ホース２００を分解することなく迅速に電気掃除機Ａを収納場所に収納することができる。
【００７８】
ただし、この収納形態は高さ方向のスペースを要するため、次のようにすれば高さを少し抑えた収納形態とすることができる。すなわち、吸引ホース２００における延長ホース２２０を操作部２１２から取り外し、起立させた掃除機本体１００の底面のフック受け部に吸込口体３００のフック部３３１を係合させ、吸込口体３００と接続した延長ホース２２０の第４係合部２２２または第６係合部２２４に操作部２１２の第３係合部２１２ｅを係合させる。この場合、可撓性ホース部２１１をハンドル１２６の下に通せば邪魔とならない。このようにすれば、操作部２１２の長さ分程度の高さを抑えることができる。
【００７９】
＜電気掃除機の動作＞
このように構成された本発明の電気掃除機Ａは、図１および図３に示すように、電動送風機１３１を駆動させることにより、被清掃面付近に存在するゴミや塵埃を含む空気は、集塵開口部から吸込口体３００内に吸い込まれ、吸引ホース２００を介して駆動装置１２０の差込口１２１ａ21に送られ、中継管１２７を介して集塵装置１１０のダストカップ１１１内に旋回しながら流入する。そして、遠心分離により、重いゴミや塵埃がダストカップ１１１内の底部に溜まり、それよりも軽い塵埃は吸気側フィルターにて捕獲される。なお、図３中の実線矢印および点線矢印は気流を表している。
【００８０】
図３と図６に示すように、吸気側フィルターを通過した細かい塵埃を含む空気は、内筒部１１２ｄ内を通って排気側フィルター１１２ａに到達し、排気側フィルター１１２ａにて細かい塵埃が捕獲される。そして、排気側フィルター１１２ａを通過した空気は、集塵装置１１０の排気口１１２ｃ11通って電動送風機ユニット１３０の上流側通気口１３２ａ11に流入する。
【００８１】
図３と図８と図９に示すように、電動送風機ユニット１３０の吸気ダクト部材１３２ａ内に流入した空気は、吸気口１３１ｂから電動送風機１３１内に流入して排気口１３１ｃから排気ダクト部材１３２ｂ内に送られる（図９参照）。このとき、第１パッキン１３４のパッキン本体１３４ａによって吸気ダクト部材１３２ａと排気ダクト部材１３２ｂとの間が密閉されると共に、第３パッキン１３５によってリード線１３１ｄと排気ダクト部材１３２ｂとの間が密閉されているため、排気漏れが防止される（図１１〜図１３参照）。また、第１パッキン１３４の複数のリブ１３４ｂによって電動送風機１３１の姿勢が安定して振動および騒音が軽減する（図１０および図１１参照）。
【００８２】
排気ダクト部材１３２ｂ内に流入した空気は、下流側通気口１３２ｂ13から通風経路Ｖに送られ、通風経路Ｖ内でＵターンしてフィルター１３６に到達し、フィルター１３６にて空気中に含まれる電動送風機１３１の回転素子から発生する粉塵などのゴミが捕獲される。そして、フィルター１３６を通過したクリーンな空気は、電動送風機ユニット１３０の下方の通風経路Ｖを通って複数の排気孔１２１ａ3から外部へ排気される。このとき、電動送風機ユニット１３０の下方の通風経路Ｖは、前方にフィルター１３６が配置されることによって上下方向の幅がある程度確保されている（狭くなり過ぎない）ため、ここを通る気流による風切り音の発生が抑制されている。なお、フィルター１３６を通過した空気の一部はコードリールＣへ送られて冷却した後、排気孔１２１ａ3から外部へ排気される。
【００８３】
なお、本発明の電気掃除機Ａは、電動送風機１３１の駆動時または駆動から停止に切り替わった直後に、除塵駆動部Ｄを駆動させ、それによって集塵装置１１０の螺旋羽根１１２ｋが正回転し、ダストカップ１１１内のゴミや塵埃を圧縮するように構成されている。
さらに、本発明の電気掃除機Ａは、電動送風機１３１の駆動から停止に切り替わった直後に、螺旋羽根１１２ｋが逆回転することにより、その回転力が除塵機構１１２ｆに伝わって複数の当接部１１２ｆ3を円運動させて排気側フィルター１１２ａを振動させ、それによって排気側フィルター１１２ａの下面側に付着した塵埃をダストカップ１１１内に振り落とすように構成されている。
なお、このとき、螺旋羽根１１２ｋの正回転または、逆回転のどちらの場合でも、螺旋羽根１１２ｋの回転方向と同じ方向にワイパー部材１１２ｆ4も回転するが、特に逆回転の除塵機構１１２ｆで排気側フィルター１１２aに付着した塵埃を振り落とす場合には、フィルターケース１１２ｂの逆テーパ状の底面上に積もった塵埃をダストカップ１１１内に落下させることできる。
【００８４】
（実施形態２）
図２２は本発明の電気掃除機の実施形態２における電動送風機ユニットの部分断面図であり、図２３は図２２で示された電動送風機ユニットにおける消音部材が巻き付けられた電動送風機を示す斜視図であり、図２４は図２３で示された電動送風機を排気ダクト部材に収納しようとする状態を説明する図である。なお、図２２〜図２４において、図１〜図２１中の要素と同様に要素には同一の符号を付している。
【００８５】
実施形態２が実施形態１と異なる点は、電動送風機ユニットにおいて、電動送風機１３１の外周突出部１３１ａよりも下部に消音部材１３８を配置した点であり、実施形態２におけるその他の構成は実施形態１と同様である。以下、実施形態２における実施形態１とは異なる点を主に説明する。
【００８６】
消音部材１３８は、電動送風機１３１の駆動音を和らげることができ、かつ通気性を有する素材にて形成することができ、例えば、スポンジ、不織布、布といった多孔性シートを帯形にカットして用いることができる。
実施形態２の場合、外周突出部１３１ａの外径と同程度となるまで帯形の多孔性シートを電動送風機１３１に３重に巻き付けている。また、電動送風機１３１を排気ダクト部材１３２ｂ内に収納する際に、下流側通気口１３２ｂ13に面する多孔性シート下端の外側２枚を四角く切り取り（図２３参照）、内側の１枚を外側へ折り曲げた状態としている（図２４参照）。
【００８７】
これにより、消音部材１３８の折り曲げ部１３８ａが、排気ダクト部材１３２ｂの下流側通気口１３２ｂ13近傍の底面と外側２枚の多孔性シート下端とで挟み込まれるため、消音部材１３８が電動送風機１３１に対して位置決めされると共に、消音部材１３８の電動送風機１３１への巻き付きが維持される。
【００８８】
（実施形態３）
実施形態１では、サイクロン方式の電気掃除機を例示したが、実施形態１における電動送風機ユニットの構造（図７〜１１参照）、車輪カバーにてハンドルのリブを覆う構造（図５参照）、コンパクトに収納可能な構造（図１６および１７参照）等は紙パック方式の電気掃除機にも適用可能である。
【００８９】
また、実施形態１では、ダストカップ１１１の底が開閉可能であり、かつ底に回転力伝達機構が設けられた集塵装置１１０を例示したが、底は開かずに集塵容器と一体化され、かつ底から回転力伝達機構が省略された集塵装置であってもよい。この場合、除塵機構を直接回転させ、除塵機構を介して螺旋羽根を回転させるように構成してもよい。
【００９０】
また、実施形態１では、集塵容器１１１ａの前記雄ネジ部とフィルターケース１１２ｂの前記雌ネジ部との螺合を解除してダストカップ１１１からフィルターユニット１１２を取り外した状態において、ロック機構１１２ｇが解除可能となるように構成された場合を例示したが、集塵容器１１１ａとフィルターケース１１２ｂとを別のロック機構にて解除可能に連結し、どちらのロック機構からでも解除できるように構成してもよい。
【００９１】
（まとめ）
本発明の電気掃除機は、電動送風機ユニットを内蔵する筐体を有する掃除機本体を備え、
前記電動送風機ユニットは、電動送風機と、この電動送風機を収納するファンカバーと、このファンカバーと前記電動送風機との間に設けられたパッキンとを有し、
前記電動送風機は、径方向に突出した外周突出部と、前記外周突出部よりも上部に配置された吸気口と、前記外周突出部よりも下部に配置された排気口とを有し、
前記ファンカバーは、前記電動送風機の上部を覆い前記吸気口と連通する上流側通気口を有する吸気ダクト部材と、この吸気ダクト部材と接合され前記排気口と連通する下流側通気口を有する排気ダクト部材とを有してなり、
前記パッキンは、前記吸気ダクト部材と前記排気ダクト部材との接合部分およびこの接合部分と前記電動送風機の前記外周突出部との間に配置された環状の第１パッキンを有してなり、
前記第１パッキンは、その内周面における前記電動送風機の前記外周突出部との接触部分に複数のリブを有している。
【００９２】
本発明の電気掃除機は、次のように構成されてもよい。
（１）前記ファンカバーの排気ダクト部材は、前記電動送風機に電気的に接続されるリード線を挿通させる切欠き部を前記上方開口部の縁部に有し、
前記パッキンは、前記吸気ダクト部材の前記上流側通気口と前記電動送風機の前記吸気口との間に配置された環状の第２パッキンと、前記切欠き部と前記リード線との間の隙間を塞ぐ第３パッキンとをさらに有してもよい。
【００９３】
このようにすれば、電動送風機による集塵効率を高めることができる。
さらに、ファンカバーにおける切欠き部が確実にシールされるため、電動送風機からの排気流の一部が排気経路を通らず筐体内へ流入する「排気漏れ」を防止することができる。この結果、電気掃除機における排気のクリーン性能の低下および騒音の増加が防止される。
【００９４】
（２）前記ファンカバーは、前記排気ダクト部材における前方位置に前記下流側通気口を有し、
前記筐体は、前記排気ダクト部材の下流側通気口から排出した気流を後方へＵターンさせるよう、前記排気ダクト部材の前記下流側通気口の前方位置および前記排気ダクト部材の下方位置に通風経路を有し、
前記通風経路における前記排気ダクト部材の下流側通気口よりも低い位置にフィルターが設けられてもよい。
【００９５】
このようにすれば、フィルターが設けられる通風経路の開口面積をフィルターの面積と同等まで広く確保することができ、それによりＵターンした排気流が狭い通風経路を通過するときの風切り音の発生を抑制することができる。
【００９６】
（３）電動送風機ユニットを内蔵する筐体を有する掃除機本体と、この掃除機本体に接続される吸引ホースと、この吸引ホースに接続される吸込口体とを備え、
前記筐体は、ハンドルと、このハンドル付近に設けられた第１係合部とを有し、
前記吸引ホースは、前記第１係合部と係脱可能な第２係合部を有し、
前記吸引ホースを前記ハンドルに引っ掛けるようにして前記筐体に巻き付けた状態で前記第２係合部が前記第１係合部に係合可能とされてもよい。
すなわち、吸引ホースの第２係合部と係合する第１係合部を集塵装置に設けずに掃除機本体の筐体に設ける。
【００９７】
このようにすれば、吸引ホースを掃除機本体に巻き付けたコンパクトな収納形態とすることにより、高さおよび奥行きが狭い収納スペースでも収納することができると共に、コンパクトな収納形態のまま持ち運ぶことができて便利である。
また、カートリッジ型の集塵装置を備えたサイクロン方式の電気掃除機に適用した場合、吸引ホースを掃除機本体に巻き付けた収納状態のまま集塵装置を掃除機本体から取り外すことができるため、例えば、掃除機本体側を邪魔にならない収納スペースに置いたまま集塵装置だけを別の場所で水洗い・乾燥する、といったメンテナンスが可能となる。
また、仮に吸引ホースの第２係合部と係合する第１係合部を集塵装置に設けた場合、集塵装置自体が掃除機本体の駆動装置に対して着脱可能なため、集塵装置が不意に脱落してコンパクトな収納形態が崩れてしまうおそれがあるが、本発明では第１係合部を駆動装置の筐体に設けているためこのような不具合がない。
【００９８】
（４）電動送風機ユニットを内蔵する筐体を有する掃除機本体と、この掃除機本体に接続される吸引ホースと、この吸引ホースに接続される吸込口体とを備え、
前記掃除機本体には左右一対の車輪が設けられており、
前記筐体は、左右一対の前記車輪を覆う左右一対の車輪カバーと、ハンドルとを有し、
前記ハンドルは、その外面の左右位置にリブを有し、
前記左右一対の車輪カバーは、前記ハンドルの左右のリブを覆う形状に形成されてもよい。
このようにすれば、ハンドルの部品点数を削減しながら、ハンドル自体の強度およびハンドルの掃除機本体への取り付け強度を高めることができる。
【００９９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１００】
１００  掃除機本体
１１０  集塵装置
１２０  駆動装置
１２１  筐体
１２２  車輪
１２３ａ  車輪カバー
１２６  ハンドル
１２６ａ1  リブ
１２８  第１係合部
１３０  電動送風機ユニット
１３１  電動送風機
１３１ａ  外周突出部
１３１ｂ  吸気口
１３１ｃ  排気口
１３１ｄ  リード線
１３２  ファンカバー
１３２ａ  吸気ダクト部材
１３２ａ11  上流側通気口
１３２ｂ  排気ダクト部材
１３２ｂ13  下流側通気口
１３２ｂ14  切欠き部
１３３  第２パッキン
１３４  第１パッキン
１３４ｂ  リブ
１３５  第３パッキン
１３６  フィルター
２００  吸引ホース
２１２ａ  第２係合部
３００  吸込口体
Ｖ  通風経路
【図１】
2015051075.tif 000003
【図２】
2015051075.tif 000004
【図３】
2015051075.tif 000005
【図４】
2015051075.tif 000006
【図５】
2015051075.tif 000007
【図６】
2015051075.tif 000008
【図７】
2015051075.tif 000009
【図８】
2015051075.tif 000010
【図９】
2015051075.tif 000011
【図１０】
2015051075.tif 000012
【図１１】
2015051075.tif 000013
【図１２】
2015051075.tif 000014
【図１３】
2015051075.tif 000015
【図１４】
2015051075.tif 000016
【図１５】
2015051075.tif 000017
【図１６】
2015051075.tif 000018
【図１７】
2015051075.tif 000019
【図１８】
2015051075.tif 000020
【図１９】
2015051075.tif 000021
【図２０】
2015051075.tif 000022
【図２１】
2015051075.tif 000023
【図２２】
2015051075.tif 000024
【図２３】
2015051075.tif 000025
【図２４】
2015051075.tif 000026
【図２５】
2015051075.tif 000027